(57)【要約】【課題】作動停止直後に急激に上昇した光源ランプの外周面の温度を速やかに所定の温度に低下させることが可能なプロジェクタを提供する。【解決手段】光源２１と、リフレクタ２２と、フランジ部２３とを含む光源ランプ２０と、ランプケース３０と、冷却ファン６０とを備えたプロジェクタ１において、光源ランプ２０の外周面を冷却するための放熱部材４０をさらに備え、放熱部材４０は、フランジ取り付け部４１と、固定部４２と、放熱フィン部４３とを含み、放熱フィン部４３は、光源ランプ２０の外周面近傍の温度が所定の温度よりも高くなった場合に、光源ランプ２０の外周面に密着するとともに、光源ランプ２０の外周面近傍の温度が所定の温度よりも低くなった場合に、光源ランプ２０の外周面から離れるような形状記憶合金により形成されており、放熱フィン部４３は、フィン部４３ａと、開口部４３ｂとを含む。【選択図】図６
2005157083.tif 000002
【特許請求の範囲】
【請求項１】
光源と、前記光源を覆うように設けられ、前記光源の光を反射するための凹状のリフレクタと、前記リフレクタの端部に設けられたフランジ部とを含む光源ランプと、前記光源ランプが取り付けられるランプケースと、前記光源ランプの温度を所定の温度に保持するための冷却ファンとを備えたプロジェクタにおいて、
前記光源ランプの外周面を冷却するための放熱部材をさらに備え、
前記放熱部材は、
前記光源ランプの前記フランジ部に取り付けられる環状のフランジ取り付け部と、
前記環状のフランジ取り付け部と一体的に形成され、前記環状のフランジ取り付け部から前記ランプケース側に突出するとともに、前記ランプケースに対して前記光源ランプを取り付けるための複数の固定部と、
前記環状のフランジ取り付け部と一体的に形成され、前記環状のフランジ取り付け部から前記光源ランプの外周面側に突出する複数の放熱フィン部とを含み、
前記放熱フィン部は、前記光源ランプの外周面近傍の温度が所定の温度よりも高くなった場合に、前記光源ランプの外周面に密着するとともに、前記光源ランプの外周面近傍の温度が所定の温度よりも低くなった場合に、前記光源ランプの外周面から離れるような形状記憶合金により形成されており、
前記放熱フィン部は、前記冷却ファンからの送風を前記光源ランプの外周面側に誘導するように配置されたフィン部と、前記フィン部によって誘導された前記冷却ファンからの送風を前記光源ランプの外周面側に逃がすための開口部とを含む、プロジェクタ。
【請求項２】
光源と、前記光源を覆うように設けられ、前記光源の光を反射するためのリフレクタとを含む光源ランプと、
前記光源ランプが取り付けられるランプケースと、
前記光源ランプの温度を所定の温度に保持するための冷却ファンと、
前記光源ランプの外周面を冷却するための放熱部材とを備え、
前記放熱部材は、前記光源ランプの外周面近傍の温度が所定の温度よりも高くなった場合に、前記光源ランプの外周面に密着するとともに、前記光源ランプの外周面近傍の温度が所定の温度よりも低くなった場合に、前記光源ランプの外周面から離れるような形状記憶合金により形成された放熱部を含む、プロジェクタ。
【請求項３】
前記放熱部材は、前記放熱部に加えて、前記光源ランプに取り付けられる取り付け部と、前記取り付け部と一体的に形成され、前記ランプケースに対して前記光源ランプを取り付けるための固定部とを含む、請求項２に記載のプロジェクタ。
【請求項４】
前記放熱部は、前記冷却ファンからの送風を前記光源ランプの外周面側に誘導するように配置されたフィン部を含む、請求項２または３に記載のプロジェクタ。
【請求項５】
前記放熱部は、前記フィン部によって誘導された前記冷却ファンからの送風を前記光源ランプの外周面側に逃がすための開口部を含む、請求項４に記載のプロジェクタ。
【発明の詳細な説明】
【技術分野】
【０００１】
この発明は、プロジェクタに関し、特に、光源ランプの温度を所定の温度に保持するための冷却ファンを備えたプロジェクタに関する。
【背景技術】
【０００２】
従来、光源ランプの温度を所定の温度に保持するための冷却ファンを備えたプロジェクタが知られている（たとえば、特許文献１参照）。
【０００３】
上記特許文献１には、光源ランプの背後に排気ファン（冷却ファン）を設けたランプボックスを筐体内に配置するとともに、ランプボックスの背面に、筐体内の温度に応じてフィンを駆動して開口状態を可変させるバイメタルまたは形状記憶合金からなる開口部を備えた従来の一例によるプロジェクタが開示されている。特許文献１に開示された構造では、筐体内の温度が低い間は、開口部の開口を狭めることによって筐体背面に設けられた通気孔からの光漏れ防止を優先する。また、筐体内の温度が上昇した場合、温度の上昇に応じて、開口部の開口を広げて排気ファンによるランプボックスからの排気を行いやすくすることによって、筐体内の温度の上昇を抑制する。
【０００４】
図１０は、従来の他の例による光源ランプを所定の温度に保持するための冷却ファンを備えたプロジェクタの斜視図である。図１１は、図１０に示した従来の他の例によるプロジェクタの上面図である。図１２は、図１１に示した従来の他の例によるプロジェクタの光源ランプとランプケースとを示した斜視図である。図１３は、図１２に示した従来の他の例によるプロジェクタの光源ランプの断面図である。図１０〜図１３を参照して、従来の他の例によるプロジェクタ１００の構造について説明する。
【０００５】
従来の他の例によるプロジェクタ１００は、図１０および図１１に示すように、装置内部に、ランプケースホルダ１１０と、ランプケースホルダ１１０の内部に納められる超高圧水銀ランプからなる光源ランプ１２０と、光源ランプ１２０が取り付けられるランプケース１３０と、光源ランプ１２０をランプケース１３０に固定するためのコイルスプリング１４０と、光源ランプ１２０の光を用いてスクリーン（図示せず）に投影するための像を形成する投影部１５０と、光源ランプ１２０の側面側に配置されるとともに、光源ランプ１２０を所定の温度に保持するための冷却ファン１６０と、冷却ファン１６０に外気を供給する吸気口１７０とを備えている。
【０００６】
光源ランプ１２０は、図１２に示すように、コイルスプリング１４０によりランプケース１３０に固定されている。この超高圧水銀ランプからなる光源ランプ１２０は、図１３に示すように、光源１２１と、光源１２１からの光を前方に反射させるための凹状のリフレクタ１２２と、リフレクタ１２２の端部に設けられたフランジ部１２３とを含んでいる。光源１２１は、リフレクタ１２２の中心部に設けられている。
【０００７】
また、投影部１５０は、図１１に示すように、ライトトンネル１５１と、ミラー１５２と、レンズ１５３と、ＤＭＤ素子１５４と、投影レンズ１５５とを含んでいる。ライトトンネル１５１は、光源ランプ１２０から出射された光を矩形状に成形する機能を有する。また、ミラー１５２は、ライトトンネル１５１により成形された矩形状の光をＤＭＤ素子１５４が配置されている方向に反射させるために設けられている。このミラー１５２で反射された光は、レンズ１５３を介してＤＭＤ素子１５４に入射される。また、ＤＭＤ素子１５４は、ＤＭＤ素子１５４に入射した光を制御して像を形成する素子である。そして、ＤＭＤ素子１５４で形成された像は、投影レンズ１５５を通して、スクリーン（図示せず
）に投影される。
【０００８】
ここで、図１１に示した従来の他の例によるプロジェクタ１００では、超高圧水銀ランプからなる光源ランプ１２０の温度が上昇しすぎると光源１２１が破損する一方、光源ランプ１２０の温度が下降しすぎると、輝度が低下するという不都合がある。このため、従来の他の例によるプロジェクタ１００では、プロジェクタ１００の作動時に、光源ランプ１２０を、冷却ファン１６０と温度センサ（図示せず）とによって常に所定の温度（約４００℃〜約５００℃）に保持していた。
【０００９】
【特許文献１】特開平９−３０４８３４号公報
【発明の開示】
【発明が解決しようとする課題】
【００１０】
しかしながら、従来の他の例によるプロジェクタ１００では、プロジェクタ１００の作動が停止した場合に、冷却ファン１６０も、作動を停止する。このため、プロジェクタ１００の作動が停止した直後では、光源ランプ１２０の光源１２１の余熱により、光源ランプ１２０の外周面の温度が急激に上昇するという不都合が生じる。この光源ランプ１２０の外周面の急激な温度上昇は、光源ランプ１２０の周囲の部品の熱劣化や変形などを発生させる要因となる。このため、従来のプロジェクタ１００では、光源ランプ１２０の周囲に配置される樹脂製の部品や筐体を、高価な超耐熱材料により形成する必要があるという不都合があった。これにより、製品コストが増大するという問題点があった。
【００１１】
また、上記特許文献１に開示された構造では、温度上昇によって開度が増加するバイメタルまたは形状記憶合金からなる開口部は、排気ファンの光源ランプとは反対側の光源ランプから離れた位置に配置されているので、光源ランプの温度上昇を上記開口部によって直接的に抑制するのは困難である。したがって、上記特許文献１に開示された構造において、プロジェクタの作動の停止によって排気ファンが停止する場合には、図１１に示した従来の他の例のプロジェクタ１００と同様、プロジェクタの作動を停止して排気ファンが停止した直後に、光源ランプの外周面の急激な温度上昇が生じるという不都合がある。このため、上記特許文献１においても、図１１に示した従来の他の例によるプロジェクタ１００と同様、この光源ランプの外周面の急激な温度上昇に起因して、光源ランプの周囲の部品の熱劣化や変形などが発生するという問題点がある。
【００１２】
この発明は、上記のような課題を解決するためになされたものであり、この発明の１つの目的は、プロジェクタの作動停止直後に急激に上昇した光源ランプの外周面の温度を速やかに所定の温度に低下させることが可能なプロジェクタを提供することである。
【課題を解決するための手段及び発明の効果】
【００１３】
上記目的を達成するために、この発明の第１の局面におけるプロジェクタでは、光源と、光源を覆うように設けられ、光源の光を反射するための凹状のリフレクタと、リフレクタの端部に設けられたフランジ部とを含む光源ランプと、光源ランプが取り付けられるランプケースと、光源ランプの温度を所定の温度に保持するための冷却ファンとを備えたプロジェクタにおいて、光源ランプの外周面を冷却するための放熱部材をさらに備え、放熱部材は、光源ランプのフランジ部に取り付けられる環状のフランジ取り付け部と、環状のフランジ取り付け部と一体的に形成され、環状のフランジ取り付け部からランプケース側に突出するとともに、ランプケースに対して光源ランプを取り付けるための複数の固定部と、環状のフランジ取り付け部と一体的に形成され、環状のフランジ取り付け部から光源ランプの外周面側に突出する複数の放熱フィン部とを含み、放熱フィン部は、光源ランプの外周面近傍の温度が所定の温度よりも高くなった場合に、光源ランプの外周面に密着するとともに、光源ランプの外周面近傍の温度が所定の温度よりも低くなった場合に、光源ランプの外周面から離れるような形状記憶合金により形成されており、放熱フィン部は、
冷却ファンからの送風を光源ランプの外周面側に誘導するように配置されたフィン部と、フィン部によって誘導された冷却ファンからの送風を光源ランプの外周面側に逃がすための開口部とを含む。
【００１４】
この発明の第１の局面におけるプロジェクタでは、上記のように、光源ランプの外周面を冷却するための放熱部材を設けるとともに、その放熱部材を、光源ランプの外周面近傍の温度が所定の温度よりも高くなった場合に、光源ランプの外周面に密着するとともに、光源ランプの外周面近傍の温度が所定の温度よりも低くなった場合に、光源ランプの外周面から離れるような形状記憶合金により形成された放熱フィン部を含むように構成することによって、プロジェクタの作動を停止させて冷却ファンが停止した直後に、光源ランプの光源の余熱により光源ランプの外周面の温度が急激に上昇した場合に、放熱フィン部が光源ランプの外周面に密着するので、その放熱フィン部により光源ランプの外周面の温度を速やかに所定の温度に低下させることができる。これにより、冷却ファンが停止した直後における光源ランプの外周面の急激な温度上昇に起因する光源ランプの周囲の部品の熱による劣化および変形を抑制することができる。その結果、光源ランプの周囲に配置された樹脂製の部品や筐体を高価な超耐熱材料により形成する必要がないので、製品コストを削減することができる。また、プロジェクタの作動時に、冷却ファンが動いている間は、放熱フィン部を光源ランプの外周面から離れるようにすれば、光源ランプの外周面の温度を冷却ファンにより所定の温度に保持（制御）することができる。
【００１５】
また、第１の局面では、放熱部材を、ランプケースに対して光源ランプを固定するための固定部を一体的に含むように構成することによって、放熱部材と固定部材とを別々に設ける場合に比べて、部品点数の増加を抑制することができる。
【００１６】
また、第１の局面では、放熱フィン部を、冷却ファンからの送風を光源ランプの外周面側に誘導するように配置されたフィン部と、フィン部によって誘導された冷却ファンからの送風を光源ランプの外周面側に逃がすための開口部とを含むように構成することによって、プロジェクタを作動させて冷却ファンが動いている間に、冷却ファンによる送風を光源ランプの外周面に容易に誘導することができる。これにより、プロジェクタの作動中の光源ランプの外周面の冷却（温度制御）をより効率よく行うことができる。
【００１７】
この発明の第２の局面におけるプロジェクタでは、光源と、光源を覆うように設けられ、光源の光を反射するためのリフレクタとを含む光源ランプと、光源ランプが取り付けられるランプケースと、光源ランプの温度を所定の温度に保持するための冷却ファンと、光源ランプの外周面を冷却するための放熱部材とを備え、放熱部材は、光源ランプの外周面近傍の温度が所定の温度よりも高くなった場合に、光源ランプの外周面に密着するとともに、光源ランプの外周面近傍の温度が所定の温度よりも低くなった場合に、光源ランプの外周面から離れるような形状記憶合金により形成された放熱部を含む。
【００１８】
この発明の第２の局面におけるプロジェクタでは、上記のように、光源ランプの外周面を冷却するための放熱部材を設けるとともに、その放熱部材を、光源ランプの外周面近傍の温度が所定の温度よりも高くなった場合に、光源ランプの外周面に密着するとともに、光源ランプの外周面近傍の温度が所定の温度よりも低くなった場合に、光源ランプの外周面から離れるような形状記憶合金により形成された放熱部を含むように構成することによって、プロジェクタの作動を停止させて冷却ファンが停止した直後に、光源ランプの光源の余熱により光源ランプの外周面の温度が急激に上昇した場合に、放熱部が光源ランプの外周面に密着するので、その放熱部により光源ランプの外周面の温度を速やかに所定の温度に低下させることができる。これにより、冷却ファンが停止した直後における光源ランプの外周面の急激な温度上昇に起因する光源ランプの周囲の部品の熱による劣化および変形を抑制することができる。その結果、光源ランプの周囲に配置された樹脂製の部品や筐
体を高価な超耐熱材料により形成する必要がないので、製品コストを削減することができる。また、プロジェクタの作動時に、冷却ファンが動いている間は、放熱部を光源ランプの外周面から離れるようにすれば、光源ランプの外周面の温度を冷却ファンにより所定の温度に保持（制御）することができる。
【００１９】
上記第２の局面によるプロジェクタにおいて、好ましくは、放熱部材は、放熱部に加えて、光源ランプに取り付けられる取り付け部と、取り付け部と一体的に形成され、ランプケースに対して光源ランプを取り付けるための固定部とを含む。このように構成すれば、放熱部材と固定部材とを別々に設ける場合に比べて、部品点数の増加を抑制することができる。
【００２０】
上記第２の局面によるプロジェクタにおいて、好ましくは、放熱部は、冷却ファンからの送風を光源ランプの外周面側に誘導するように配置されたフィン部を含む。このように構成すれば、プロジェクタを作動させて冷却ファンが動いている間に、冷却ファンによる送風を光源ランプの外周面側に誘導することができるので、プロジェクタの作動中の光源ランプの外周面の冷却（温度制御）をより効率よく行うことができる。
【００２１】
この場合、好ましくは、放熱部は、フィン部によって誘導された冷却ファンからの送風を光源ランプの外周面側に逃がすための開口部を含む。このように構成すれば、容易に、冷却ファンによる送風を光源ランプの外周面に直接当てることができる。
【発明を実施するための最良の形態】
【００２２】
以下、本発明の実施の形態を図面に基づいて説明する。
【００２３】
図１は、本発明の一実施形態による光源ランプを所定の温度に保持するための冷却ファンを備えたプロジェクタの上面図である。図２は、図１に示した本発明の一実施形態によるプロジェクタの光源ランプとランプケースと放熱部材とを示した斜視図である。図３は、図１に示した本発明の一実施形態によるプロジェクタのランプケースを示した斜視図である。図４は、図１に示した本発明の一実施形態によるプロジェクタの光源ランプと放熱部材とを示した斜視図である。図５は、図４に示した光源ランプに取り付けられる放熱部材を示した斜視図である。図６は、図１に示した本発明の一実施形態によるプロジェクタの作動時における放熱部材と冷却ファンとの状態を示した図である。図７は、プロジェクタの作動時における放熱部材の状態を示した断面図である。図８は、図１に示した本発明の一実施形態によるプロジェクタの作動停止直後における放熱部材と冷却ファンとの状態を示した図である。図９は、プロジェクタの作動停止直後における放熱部材の状態を示した断面図である。まず、図１〜図９を参照して、本実施形態によるプロジェクタ１の構造について説明する。
【００２４】
本実施形態によるプロジェクタ１は、図１に示すように、装置内部に、ガラス繊維入りの耐熱性樹脂からなるランプケースホルダ１０と、ランプケースホルダ１０の内部に納められた超高圧水銀ランプからなる光源ランプ２０と、光源ランプ２０が取り付けられるガラス繊維入りの耐熱性樹脂からなるランプケース３０と、光源ランプ２０に取り付けられるとともに、光源ランプ２０の外周面を冷却するための放熱部材４０と、光源ランプ２０の光を用いてスクリーンに投影するための像を形成する投影部５０と、光源ランプ２０の側面側に配置されるとともに、光源ランプ２０を所定の温度に保持するための冷却ファン６０と、冷却ファン６０に外気を供給するための吸気口７０とを備えている。
【００２５】
光源ランプ２０は、図２に示すように、ランプケース３０に取り付けられている。この超高圧水銀ランプからなる光源ランプ２０は、図７に示すように、光源２１と、リフレクタ２２と、光源２１からの光を前方に反射させるための凹状のリフレクタ２２の端部に設
けられたフランジ部２３とを含んでいる。光源２１は、リフレクタ２２の中心部に設けられている。
【００２６】
また、ランプケース３０は、図３に示すように、４つの固定部係合部３１を含んでいる。この固定部係合部３１は、光源ランプ２０をランプケース３０に取り付ける際に使用される。
【００２７】
ここで、本実施形態では、光源ランプ２０に取り付けられる放熱部材４０は、図５に示すように、形状記憶合金製の板材から形成されている。この放熱部材４０は、環状のフランジ取り付け部４１と、固定部４２と、放熱フィン部４３とを含んでいる。環状のフランジ取り付け部４１は、図４に示すように、光源ランプ２０のフランジ部２３に嵌め込まれる。また、固定部４２は、環状のフランジ取り付け部４１と一体的に形成されるとともに、環状のフランジ取り付け部４１からランプケース３０側に突出するように形成されている。この固定部４２は、図５に示すように、環状のフランジ取り付け部４１に９０度の等間隔で４つ設けられている。この４つの固定部４２は、図３〜図５に示すように、光源ランプ２０をランプケース３０に取り付ける際、ランプケース３０の４つの固定部係合部３１に嵌め込まれる。また、放熱フィン部４３は、環状のフランジ取り付け部４１と一体的に形成されるとともに、環状のフランジ取り付け部４１から光源ランプ２０の外周面側に突出するように形成されている。この放熱フィン部４３は、図５に示すように、環状のフランジ取り付け部４１に１２０度の等間隔で３つ設けられている。この放熱フィン部４３は、図４に示すように、光源ランプ２０の外周面を覆うように曲面状に形成されている。
【００２８】
また、放熱フィン部４３は、フィン部４３ａと、開口部４３ｂと、放熱フィン部４３および環状のフランジ取り付け部４１を一体的に連結させるための基端部４３ｃとを有している。フィン部４３ａおよび開口部４３ｂは、曲面状に形成された放熱フィン部４３の一部をコの字状に切り取るとともに、切り取った部分を、光源ランプ２０の外周面から離れる方向に折り曲げることによって形成されている。
【００２９】
また、フィン部４３ａは、図６に示すように、光源ランプ２０の側面側に設けられた冷却ファン６０からの送風を受け止めて光源ランプ２０の外周面側に導くことができるように、冷却ファン６０に対向するとともに、開口部４３ｂが形成された面に対して垂直な角度から所定の角度だけ冷却ファン６０側に傾斜するように形成されている。また、開口部４３ｂは、フィン部４３ａによって向きを変えられた冷却ファン６０からの送風を光源ランプ２０の外周面に効率よく逃がすことができるように、各フィン部４３ａの冷却ファン６０側に設けられている。
【００３０】
ここで、本実施形態では、形状記憶合金により形成された放熱フィン部４３の基端部４３ｃは、図７および図９に示すように、所定の温度よりも低い場合と高い場合とで形状が異なるように形成されている。すなわち、この放熱フィン部４３の基端部４３ｃは、プロジェクタ１が作動して冷却ファン６０と温度センサ（図示せず）とにより光源ランプ２０の外周面近傍の温度が所定の温度（約４００℃〜約５００℃）に保持されている場合には、図６および図７に示すように、放熱フィン部４３を光源ランプ２０の外周面から離すように曲がる。また、放熱フィン部４３の基端部４３ｃは、プロジェクタ１の作動を停止させて冷却ファンが停止した直後に、光源ランプ２０の光源２１の余熱によって光源ランプ２０の外周面近傍の温度が所定の温度（約４００℃〜約５００℃）から約５００℃〜約６００℃に急激に上昇した場合には、図８および図９に示すように、放熱フィン部４３を光源ランプ２０の外周面に密着させるように曲がる。
【００３１】
また、本実施形態によるプロジェクタ１では、投影部５０は、図１に示すように、ライトトンネル５１と、ミラー５２と、レンズ５３と、ＤＭＤ素子５４と、投影レンズ５５と
を含んでいる。ライトトンネル５１は、光源ランプ２０からの光を矩形状に成形する機能を有する。また、ミラー５２は、ライトトンネル５１により成形された矩形状の光をＤＭＤ素子５４が配置されている方向に反射させるために設けられている。このミラー５２で反射された光は、レンズ５３を介してＤＭＤ素子５４に入射される。また、ＤＭＤ素子５４は、ＤＭＤ素子５４に入射した光を制御して像を形成する素子である。そして、ＤＭＤ素子５４で形成された像は、投影レンズ５５を通して、スクリーン（図示せず）に投影される。
【００３２】
本実施形態では、上記のように、光源ランプ２０の外周面を冷却するための放熱部材４０を設けるとともに、その放熱部材４０を、光源ランプ２０の外周面近傍の温度が所定の温度よりも高くなった場合に、光源ランプ２０の外周面に密着するとともに、光源ランプ２０の外周面近傍の温度が所定の温度よりも低くなった場合に、光源ランプ２０の外周面から離れるような形状記憶合金により形成された放熱フィン部４３を含むように構成することによって、プロジェクタ１の作動を停止させて冷却ファン６０が停止した直後に、光源ランプ２０の光源の余熱により光源ランプ２０の外周面の温度が急激に上昇した場合に、放熱フィン部４３が光源ランプ２０の外周面に密着するので、その放熱フィン部４３により光源ランプ２０の外周面の温度を速やかに所定の温度に低下させることができる。これにより、冷却ファン６０が停止した直後における光源ランプ２０の外周面の急激な温度上昇に起因する光源ランプ２０の周囲の部品の熱による劣化および変形を抑制することができる。その結果、光源ランプ２０の周囲に配置された樹脂製の部品や筐体を高価な超耐熱材料により形成する必要がないので、製品コストを削減することができる。
【００３３】
また、本実施形態では、プロジェクタ１の作動時に、冷却ファン６０が動いている間は、放熱フィン部４３を光源ランプ２０の外周面から離れるようにすることによって、光源ランプ２０の外周面の温度を冷却ファン６０により所定の温度に保持（制御）することができる。
【００３４】
また、本実施形態では、放熱部材４０を、ランプケース３０に対して放熱部材４０を固定するための固定部４２を一体的に含むように構成することによって、放熱部材と固定部材とを別々に設ける場合に比べて、部品点数の増加を抑制することができる。
【００３５】
また、本実施形態では、放熱フィン部４３を、冷却ファン６０からの送風を光源ランプ２０の外周面側に誘導するように配置されたフィン部４３ａと、フィン部４３ａによって誘導された冷却ファン６０からの送風を光源ランプ２０の外周面側に逃がすための開口部４３ｂとを含むように構成することによって、プロジェクタ１を作動させて冷却ファン６０が動いている間に、冷却ファン６０による送風を光源ランプ２０の外周面に容易に誘導することができる。これにより、プロジェクタ１の作動中の光源ランプ２０の外周面の冷却（温度制御）をより効率よく行うことができる。
【００３６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３７】
たとえば、上記実施形態では、放熱部材４０を、放熱部材４０と一体的に形成された環状のフランジ取り付け部４１によって光源ランプ２０に取り付けるように構成したが、本発明はこれに限らず、環状のフランジ取り付け部４１を別の形状に形成してもよい。また、放熱部材を、光源ランプに取り付けるのではなく、別の部材に取り付けてもよい。
【００３８】
また、上記実施形態では、放熱部材４０の放熱部としてフィン部と開口部とを含む放熱
フィン部を用いたが、本発明はこれに限らず、フィン部や開口部を有しない放熱部であってもよい。
【図面の簡単な説明】
【００３９】
【図１】本発明の一実施形態による光源ランプを所定の温度に保持するための冷却ファンを備えたプロジェクタの上面図である。
【図２】図１に示した本発明の一実施形態によるプロジェクタの光源ランプとランプケースと放熱部材とを示した斜視図である。
【図３】図１に示した本発明の一実施形態によるプロジェクタのランプケースを示した斜視図である。
【図４】図１に示した本発明の一実施形態によるプロジェクタの光源ランプと放熱部材とを示した斜視図である。
【図５】図４に示した光源ランプに取り付けられる放熱部材を示した斜視図である。
【図６】図１に示した本発明の一実施形態によるプロジェクタの作動時における放熱部材と冷却ファンとの状態を示した図である。
【図７】プロジェクタの作動時における放熱部材の状態を示した断面図である。
【図８】図１に示した本発明の一実施形態によるプロジェクタの作動停止直後における放熱部材と冷却ファンとの状態を示した図である。
【図９】プロジェクタの作動停止直後における放熱部材の状態を示した断面図である。
【図１０】従来の一例による光源ランプを所定の温度に保持するための冷却ファンを備えたプロジェクタの斜視図である。
【図１１】図１０に示した従来の一例によるプロジェクタの上面図である。
【図１２】図１１に示した従来の一例によるプロジェクタの光源ランプとランプケースとを示した斜視図である。
【図１３】図１２に示した従来の一例によるプロジェクタの光源ランプの断面図である。
【符号の説明】
【００４０】
１  プロジェクタ
２０  光源ランプ
２１  光源
２２  リフレクタ
２３  フランジ部
３０  ランプケース
４０  放熱部材
４１  フランジ取り付け部
４２  固定部
４３  放熱フィン部
４３ａ  フィン部
４３ｂ  開口部
６０  冷却ファン
【図１】
2005157083.tif 000003
【図２】
2005157083.tif 000004
【図３】
2005157083.tif 000005
【図４】
2005157083.tif 000006
【図５】
2005157083.tif 000007
【図６】
2005157083.tif 000008
【図７】
2005157083.tif 000009
【図８】
2005157083.tif 000010
【図９】
2005157083.tif 000011
【図１０】
2005157083.tif 000012
【図１１】
2005157083.tif 000013
【図１２】
2005157083.tif 000014
【図１３】
2005157083.tif 000015